(57)【特許請求の範囲】
【請求項１】
ディジタル放送を受信するディジタルチューナとアナログ放送を受信するアナログチューナの両方を備えたディジタル・アナログ放送受信装置において、ディジタルチューナによる有局判断処理を担当する第１ＣＰＵと、ポジション番号に対応した情報格納領域を有し、第１ＣＰＵの制御下にてチューニング情報の格納が行われる第１メモリと、アナログチューナによる有局判断処理を担当する第２ＣＰＵと、ポジション番号に対応した情報格納領域を有し、第２ＣＰＵの制御下にてチューニング情報の格納が行われる第２メモリと、を備え、第１メモリと第２メモリは互いに対応する第１領域と第２領域を有しており、オートチューニングに際し、ディジタルチューナによる有局判断処理で有局判断がなされたときにはそのチャンネルのチューニング情報を第１メモリの第１領域に格納すると共にそのことを第２ＣＰＵに通知し、アナログチューナによる有局判断処理で有局判断がなされたときにはそのチャンネルのチューニング情報を第２メモリの第２領域に格納し、オートソーティングに際しては、第２メモリの第１領域であって第１メモリにおける第１領域のなかの空きポジション番号に対応するポジション番号に、第２メモリの第２領域に格納したアナログ放送のチューニング情報をコピーするように構成したことを特徴とするディジタル・アナログ放送受信装置。
【請求項２】
請求項１に記載のディジタル・アナログ放送受信装置において、アナログ放送波とディジタル放送波の各々に含まれている放送局情報を検出する手段を有し、予め指定してある放送局についてのチューニング情報は各メモリの指定ポジションに格納するように構成したことを特徴とするディジタル・アナログ放送受信装置。
【請求項３】
請求項２に記載のディジタル・アナログ放送受信装置において、第２メモリの第２領域は、指定放送局用領域と非指定放送局用領域とに分けられており、指定放送局の有局判断時にはそのチャンネルのチューニング情報を指定放送局用領域に格納する一方、非指定の放送局の有局判断時にはそのチャンネルのチューニング情報を非指定放送局用領域に格納し、オートソーティングに際しては、指定放送局用領域に格納されているアナログ放送のチューニング情報を第２メモリにおける第１領域にコピーするように構成したことを特徴とするディジタル・アナログ放送受信装置。
【請求項４】
請求項１乃至請求項３のいずれかに記載のディジタル・アナログ放送受信装置において、第１ＣＰＵと第２ＣＰＵとの間の通知処理により、各メモリには各ポジションがディジタル放送についての情報なのかアナログ放送についての情報なのかを示す判別情報が格納されるように構成したことを特徴とするディジタル・アナログ放送受信装置。
【請求項５】
請求項１乃至請求項４のいずれかに記載のディジタル・アナログ放送受信装置において、第２ＣＰＵから第１ＣＰＵへの通知処理により、第１メモリにはアナログ放送に対応する各ポジションについてアナログ放送の放送局名についての情報が格納されるように構成したことを特徴とするディジタル・アナログ放送受信装置。
【発明の詳細な説明】
【０００１】
【産業上の利用分野】
この発明は、ディジタル放送とアナログ放送の両方を受信することができるディジタル・アナログ放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
そして、このようなディジタルテレビ放送を受信するディジタルチューナと共に、従来からのアナログ放送を受信するアナログチューナも備えたディジタル・アナログ放送受信装置を構成することができる。
【０００４】
【発明が解決しようとする課題】
ところで、アナログ放送に関しては、文字情報を多重したテレビジョン信号を受信する受信装置において、文字情報に含まれる放送局側の局名情報を検出し、この局名情報に基づいて予め決めたチャンネルポジションにチューニングデータを記憶させるオートソーティング機能を備えた受信装置が提案されている（特開平１０−２９４９０３号公報参照：ＩＰＣ  Ｈ０４Ｎ  ５／４４）。
【０００５】
しかしながら、上記従来のオートソーティング機能では、アナログ放送とディジタル放送が混在する状況下では対応することができない。
【０００６】
この発明は、上記の事情に鑑み、アナログ放送とディジタル放送が混在する状況下でもオートソーティングを実行することができるディジタル・アナログ放送受信装置を提供することを目的とする。
【０００７】
【課題を解決するための手段】
この発明のディジタル・アナログ放送受信装置は、上記の課題を解決するために、ディジタル放送を受信するディジタルチューナとアナログ放送を受信するアナログチューナの両方を備えたディジタル・アナログ放送受信装置において、ディジタルチューナによる有局判断処理を担当する第１ＣＰＵと、ポジション番号に対応した情報格納領域を有し、第１ＣＰＵの制御下にてチューニング情報の格納が行われる第１メモリと、アナログチューナによる有局判断処理を担当する第２ＣＰＵと、ポジション番号に対応した情報格納領域を有し、第２ＣＰＵの制御下にてチューニング情報の格納が行われる第２メモリと、を備え、第１メモリと第２メモリは互いに対応する第１領域と第２領域を有しており、オートチューニングに際し、ディジタルチューナによる有局判断処理で有局判断がなされたときにはそのチャンネルのチューニング情報を第１メモリの第１領域に格納すると共にそのことを第２ＣＰＵに通知し、アナログチューナによる有局判断処理で有局判断がなされたときにはそのチャンネルのチューニング情報を第２メモリの第２領域に格納し、オートソーティングに際しては、第２メモリの第１領域であって第１メモリにおける第１領域のなかの空きポジション番号に対応するポジション番号に、第２メモリの第２領域に格納したアナログ放送のチューニング情報をコピーするように構成したことを特徴とする。
【０００８】
上記構成において、仮に１〜９９のポジションが用意されているとし、１〜８０までを各メモリにおいて第１領域とし、８１〜９９を各メモリにおいて第２領域とする。ディジタルチューナによる有局判断処理で例えば３つの放送局を検出したとすると、第１メモリの情報格納領域のうち第１領域の例えばポジション番号１，２，３に上記３つの放送局の情報が各々格納される。一方、アナログチューナによる有局判断処理で例えば３つの放送局を検出したとすると、第２メモリの情報格納領域のうち第２領域の例えばポジション番号９１，９２，９３に対応する領域に上記３つの放送局の情報が各々格納される。この場合、例えば、ポジション番号４，５，６は空きであるから、第２メモリのポジション番号９１，９２，９３に格納した情報が第２メモリのポジション番号４，５，６にコピーされる。すなわち、ディジタル放送については予め定めた所定のポジションを優先的に割り当て、空いているポジションにアナログ放送を自動的に割り当てていくことが可能となる。
【０００９】
アナログ放送波とディジタル放送波の各々に含まれている放送局情報を検出する手段を有し、予め指定してある放送局についてのチューニング情報は各メモリの指定ポジションに格納するように構成してもよい。これによれば、ディジタルチューナによる有局判断処理で例えばＡ，Ｂ，Ｃの３つの放送局を検出したとすると、第１メモリの情報格納領域のうち第１領域の予め放送局ごとに指定してある例えばポジション番号１にＢ局，番号５にＡ局，番号６にＣ局のごとく情報が格納されることになり、また、アナログチューナによる有局判断処理で例えばＤ，Ｅ，Ｆの３つの放送局を検出したとすると、第２メモリの情報格納領域のうち第２領域の予め放送局ごとに指定してある例えばポジション番号９２にＥ局，番号９３にＤ局，番号９６にＦ局のごとく情報が格納される。この場合、例えば、ポジション番号２，３，４は空きであり、第２メモリのポジション番号９２に格納したＥ局の情報が第２メモリのポジション番号２にコピーされ、第２メモリのポジション番号９３に格納したＤ局の情報が第２メモリのポジション番号３にコピーされ、第２メモリのポジション番号９６に格納したＦ局については情報をコピーしないといった処理が可能になる。
【００１０】
第２メモリの第２領域は、指定放送局用領域と非指定放送局用領域とに分けられており、指定放送局の有局判断時にはそのチャンネルのチューニング情報を指定放送局用領域に格納する一方、非指定の放送局の有局判断時にはそのチャンネルのチューニング情報を非指定放送局用領域に格納し、オートソーティングに際しては、指定放送局用領域に格納されているアナログ放送のチューニング情報を第２メモリにおける第１領域にコピーするようにしてもよい。
【００１１】
第１ＣＰＵと第２ＣＰＵとの間の通知処理により、各メモリには各ポジションがディジタル放送についての情報なのかアナログ放送についての情報なのかを示す判別情報が格納されるように構成してもよい。ここで、通常の選局動作として例えばポジション３がユーザーにより指定され、アナログ側の第２メモリにおいてポジション３に情報が無いとした場合にディジタル側ＣＰＵに選局動作を行わせ、ディジタル側の第１メモリにおいてもポジション３に情報が無いとした場合にそのことをアナログ側ＣＰＵに通知するといった処理も考えられるが、これでは各ＣＰＵ間での無駄な通知動作が発生する。上記構成であれば、例えばポジション３がユーザーにより指定され、アナログ側の第２メモリにおいてポジション３はディジタル放送であることの情報があれば、ディジタル側ＣＰＵに選局動作を行わせればよく、何の情報もなければディジタル側ＣＰＵに選局動作を行わせるための通知は行わないといった処理とすることができる。
【００１２】
第２ＣＰＵから第１ＣＰＵへの通知処理により、第１メモリにはアナログ放送に対応する各ポジションについてアナログ放送の放送局名についての情報が格納されるように構成してもよい。これによれば、ディジタル側の処理部にオンスクリーンディスプレイ回路を備えてチャンネルリストを表示する場合に、どのポジションにどのアナログ放送の放送局が割り当てられているかを表示できる。
【００１３】
【発明の実施の形態】
以下、この発明の実施形態を図１乃至図７に基づいて説明する。
【００１４】
図１は地上波ディジタル放送と地上波アナログ放送をユーザーが任意に視聴できる欧州対応の放送受信装置２０を示したブロック図である。この放送受信装置２０は、アナログ放送を受信するためのアナログモジュール１８及びディジタル放送を受信するためのディジタルモジュール１９を備える。
【００１５】
地上波アンテナ１は、地上放送波を受信し、受信信号をアナログチューナ２およびディジタルチューナ３に与える。各チューナは、選局処理回路やミキサ（混合器）などを備えて成る。ミキサは希望チャンネルの信号と局部発振信号とを混合して中間周波数信号を生成する。局部発振信号を生成する回路は例えば印加電圧によって容量が変化する可変容量ダイオード等を備えて成り、ミキサから一定の中間周波数の信号が出力されるように、希望チャンネルの信号に対応させて変化させた局部発振信号を生成する。選局処理回路は、各チャンネルに対応した印加電圧（同調電圧）のデータを受け取り、電圧値に変換して可変容量ダイオードに与える。
【００１６】
また、アナログモジュール１８はテレビジョン信号に含まれているテレテキスト情報（例えば走査線の６ラインから２２ラインに重畳されている）を抜き取って図示しないテレテキストデコーダに与える。このテレテキストデコーダによって局名情報（８／３０ｆｏｒｍａｔ１（ヨーロッパテレテキストフォーマット）を取り出し、アナログ側ＣＰＵ６に与えることができる。局名情報は、例えば４桁の数字列であるが、この数字列と局名文字列（例えば、ＢＢＣ１やＣＨ４等の文字列であり、これをＣＨ．ＩＤ（図７参照）と呼ぶこととする）との対応テーブルを備えることで、局名情報に基づき局名文字列（ＣＨ．ＩＤ）を判別することができる。また、アナログモジュール１８は、アナログ用の図示しないＯＳＤ（オンスクリーンディスプレイ）回路を備えており、アナログ側ＣＰＵ６から出力指示された文字情報に基づくビットマップデータを表示映像に組み込めるようになっている。
【００１７】
ディジタルモジュール１９には、図示しないデマルチプレクサ（ＤＥＭＵＸ）やＡＶデコーダなどが備えられている。デマルチプレクサは、ディジタルチューナ２から出力されるトランスポート・ストリームを、ＭＰＥＧ（Ｍｏｖｉｎｇ  Ｐｉｃｔｕｒｅ  Ｅｘｐｅｒｔｓ  Ｇｒｏｕｐ）のビデオトランスポートパケットやオーディオトランスポートパケットを取り出すとともに、ＥＳＧ（ＥＶＥＮＴ  ＳＣＨＥＤＵＬＥ  ＧＵＩＤＥ）なども分離する。デマルチプレクサは、ビデオトランスポートパケットとオーディオトランスポートパケットをＡＶデコーダに供給し、ＥＳＧをディジタル側ＣＰＵ９に供給する。また、ディジタルモジュール１９には、図示しないＯＳＤ回路が設けられており、ディジタル側ＣＰＵ９から出力指示された文字情報に基づくビットマップデータを表示映像に組み込むようになっている。
【００１８】
受像管１１は信号切り替えスイッチ１０を経て供給されるアナログ放送の受信映像或いはディジタル放送の受信映像の表示を行う。信号切り替えスイッチ１０の操作はアナログ側ＣＰＵ６によってなされ、アナログチューナ２による選局状態においては信号切り替えスイッチ１０をアナログ側に切り替え、ディジタルチューナ３による選局状態においては信号切り替えスイッチ１０をディジタル側に切り替えるようになっている。
【００１９】
アナログ側ＣＰＵ６は、アナログチューナ２に対する選局制御、アナログ側メモリ（ＥＥＰＲＯＭ等）７へのチューニング情報等の書込／読出の制御、リモコン送信機４やキー入力部５からの指示内容に基づく各種の処理を行う。指示内容がディジタル放送に関するものである場合、アナログ側ＣＰＵ６がディジタル側ＣＰＵ９に指示内容を伝える。
【００２０】
ディジタル側ＣＰＵ９は、ディジタルチューナ３に対する選局制御、ディジタル側メモリ（ＥＥＰＲＯＭ等）８へのチューニング情報等の書込／読出の制御、デマルチプレクサやＡＶデコーダに対する制御など、ディジタル放送に関する制御を行うようになっている。そして、ディジタル側ＣＰＵ９とアナログ側ＣＰＵ６との間で各種情報のやり取りを行うようになっている。
【００２１】
アナログ側メモリ７は、例えばポジション番号１〜９９までの情報格納領域を有している。そして、図５に示すように、ポジション番号８１〜９９までがオートチューニング時におけるアナログ放送の情報格納領域として割り当てられ、更に、このなかでポジション番号９１〜９６が指定ポジションとされている。指定ポジション番号９１〜９６は、予め定めた放送局の情報を格納するように割り当てられている。
【００２２】
ディジタル側メモリ８は、同様にポジション番号１〜９９までの情報格納領域を有している。そして、ポジション番号１〜８０がディジタル放送の情報格納領域として割り当てられている。
【００２３】
次に、ディジタル・アナログ放送受信装置２０におけるオートチューニング／オートソーティング処理を説明していく。リモコン送信機４等によってオートチューニング／オートソーティングが指示されると、アナログ側ＣＰＵ６は、ディジタル側ＣＰＵ９に対してディジタル放送のオートチューニングの開始を指示する。ディジタルモジュール１９では、図２のフローチャートに示すように、オートチューニング処理を最も周波数が低いチャンネル（ＵＨＦ２１局）からスタートし（ステップＳ１）、ディジタル放送の有無を判断する（ステップＳ２）。ディジタル放送が無ければ最終チャンネルか否かを判断し（ステップＳ４）、最終チャンネルでなければチャンネル番号を一つ上に設定し（ステップＳ５）、ステップＳ２に戻る。ディジタル放送が有れば、ＥＳＧに基づいて放送局名や送信チャンネルなどの情報を抽出してディジタル側メモリ８のポジション番号１〜８０（ＰＯＳ１〜ＰＯＳ８０）に格納し（ステップＳ３）、ステップＳ４に進む。なお、上記の情報にはディジタルモジュール１９側で当該放送がアナログ放送なのかディジタル放送なのかを判別するためのＨａｎｄｌｅ  Ｎｏ．（図４ではＨＤ．ＮＯ．と表記している）を付加する。どのポジションにディジタル放送の情報が格納されたかについては、ディジタル側ＣＰＵ９からアナログ側ＣＰＵ６に伝えておく。
【００２４】
ディジタル放送のオートチューニングが終了すると（ステップＳ４でＹＥＳ）、ディジタル側ＣＰＵ９はアナログ側ＣＰＵ６に対してサーチが終了したことを通知する。アナログモジュール１８では、オートチューニング処理を最も周波数が低いチャンネル（ＵＨＦ２１局）からスタートし（ステップＳ６）、アナログ放送の有無を判断する（ステップＳ７）。アナログ放送が無ければ最終チャンネルか否かを判断し（ステップＳ９）、最終チャンネルでなければチャンネル番号を一つ上に設定し（ステップＳ１０）、ステップＳ７に戻る。アナログ放送が有れば、テキスト放送のパケットから局名情報や送信チャンネルなどの情報を抽出し、送信チャンネル番号やチューニング情報をアナログ側メモリ７に格納し（ステップＳ８）、ステップＳ９に進む。アナログ側メモリ７においては、図５に示したように、指定ポジション番号９１〜９６は、予め定めた放送局の情報を格納するように割り当てられているので、放送局名が「ＢＢＣ１」を示す場合にはポジション９１に情報を格納し、放送局名が「ＢＢＣ２」を示す場合にはポジション９２に情報を格納することになる。一方、放送局名が予め定めた放送局でない場合には、無指定ポジション８１から順に空いているポジションに情報を格納していく。また、予め定めた放送局が判明して以降において同一の放送局が検出された場合にも、無指定ポジション８１から順に空いているポジションに情報を格納していく。また、アナログ側ＣＰＵ６は、テキスト放送のパケットから抽出した局名情報に基づいて得られる放送局名（局名を表す文字情報）であるＣＨ．ＩＤをポジション番号と共にディジタル側ＣＰＵ９に伝える。ディジタル側ＣＰＵ９はディジタル側メモリ８の対応ポジションに放送局名を記憶させる。
【００２５】
ここで、図３に示すごとく、ＵＨＦ２３局とＵＨＦ２８局にディジタル放送が存在し、ＵＨＦ２９局（放送局ＣＨ４とする）とＵＨＦ３２局（放送局ＢＢＣ１とする）とＵＨＦ４１局（放送局ＢＢＣ２とする）とＵＨＦ４７局（放送局ＩＴＶとする）にアナログ放送が存在する場合を想定すると、先のディジタル放送のオートチューニングにより、ＵＨＦ２３局とＵＨＦ２８局についての情報がディジタル側メモリ８に格納され、この格納情報がアナログ側ＣＰＵ６に伝えられ、次のアナログ放送のオートチューニングにより、ＵＨＦ２９局とＵＨＦ３２局とＵＨＦ４１局とＵＨＦ４７局についての情報がアナログ側メモリ８に格納され、この格納情報がディジタル側メモリ８に伝えられることになる。
【００２６】
アナログ放送のオートチューニングが終了すると（ステップＳ９でＹＥＳ）、ディジタル側メモリ８のポジション番号１〜６の全てが空いているかどうかを判断する（ステップＳ１１）。この判断でＹＥＳとされた場合には、アナログ側メモリ７のポジション番号１〜６にポジション番号９１〜９６の情報をコピーする（ステップＳ１２）。一方、ＮＯとされた場合には、ディジタル側メモリ８において、ポジション番号１〜６の一部が空いているかどうかを判断する（ステップＳ１３）。この判断でＹＥＳとされた場合には、アナログ側メモリ７のポジション番号１〜６の空きにポジション番号９１〜９６の情報をコピーする（ステップＳ１４）。具体的には、ディジタル側メモリ８のポジション番号３が空いていれば、アナログ側メモリ７のポジション番号９３の情報をアナログ側メモリ７のポジション番号３にコピーする。同様に、ディジタル側メモリ８のポジション番号４が空いていれば、アナログ側メモリ７のポジション番号９４の情報をアナログ側メモリ７のポジション番号４にコピーする。
【００２７】
ステップＳ１３でＮＯとされた場合は、ディジタル側メモリ８のポジション番号１〜６の全てに情報が格納されていることになり、かかる場合にはアナログ側メモリ７でのコピー処理は行わず、オートチューニング／オートソーティング処理を終了することとする。
【００２８】
ここで、仮に、ディジタル放送が全く受信できなかったとすると、図６（この図ではアナログ側のポジション番号とディジタル側のポジション番号を別個に示すのではなく、重ねたかたちで示している）のＡ行に示すごとく、ポジション番号１〜６に指定のポジション番号９１〜９６の情報がコピーされ、ポジション番号７以降には無指定のポジション番号８１〜８３の情報がコピーされるといったことが一例として生じる。
【００２９】
また、仮に、ディジタル放送を全て受信することができたとすると、図６のＢ行に示すごとく、ポジション番号１〜９はディジタル放送の情報で占められることになる。なお、ＢＢＣは「ＢＢＣ１」と「ＢＢＣ２」と「ＢＢＣ  ｎｅｗｓ」と「ＢＢＣ  ｃｈｏｉｃｅ」のマルチプレクス放送とし、チャンネル番号（ＣＨ．ＮＯ．）が同じでも、各々が一つのポジションを占めることとしている（図４参照）。
【００３０】
また、仮に、一部のディジタル放送を受信できたとすると、図６のＣ行に示すごとく、ポジション番号１，２，６，７，８がディジタル放送の情報で占められ、空き領域であるポジション番号３，４，５にポジション番号９３，９４，９５の情報がコピーされるといったことが一例として生じる。
【００３１】
ソーティングの内容は、アナログ側ＣＰＵ６からディジタル側ＣＰＵ９に伝えられ、ディジタル側ＣＰＵ９は、ディジタル側メモリ８の対応ポジションに情報を記憶させる。
【００３２】
図７は、図６のＣ行に対応させて、アナログ側メモリ７とディジタル側メモリ８の情報格納内容を示している。各メモリには、アナログ側ＣＰＵ６とディジタル側ＣＰＵ９との間の互いの通知により、各ポジションがディジタル放送なのかアナログ放送なのかの情報（アナログ側メモリでは「Ｄ／Ａ」、ディジタル側メモリでは「ｈａｎｄｌｅ  ＮＯ．」）が格納される。なお、図７のアナログ側メモリにおいて示しているＣＨ．ＩＤは局名文字列であるが、これをアナログ側メモリ７に格納しておく必要は特にない。一方、ディジタル側メモリ８では、ディジタル側のＯＳＤでチャンネルリスト等を表示させるため、アナログ放送のＣＨ．ＩＤ（局名文字列）を保持することとしている。
【００３３】
オートチューニング／オートソーティング処理終了後の選局手順について説明する。リモコン送信機４等により例えばポジション番号３（ＰＯＳ３）を選択すると、アナログ側ＣＰＵ６は図７のメモリ内容に基づいて、ポジション番号３はアナログ放送でＵＨＦ４７局であることを把握できるので、アナログモジュール１８にてＵＨＦ４７局を選局し、受像管１１にアナログ放送映像を映し出すことになる。リモコン送信機４等による指示はアナログ側ＣＰＵ６が受けるので、上記のアナログ放送の選局に際してはディジタルモジュール１９側での選局動作は行われないこととなるが、アナログ側ＣＰＵ６がディジタル側ＣＰＵ９に対して選局動作を禁止する指示を出すようにしてもよい。
【００３４】
また、リモコン送信機４等により例えばポジション番号２（ＰＯＳ２）を選択すると、アナログ側ＣＰＵ６は図７のメモリ内容に基づいて、ポジション番号２はディジタル放送であることを把握できるので、ポジション番号「２」の情報及びディジタルモジュール１９側での選局要求をディジタル側ＣＰＵ９に伝える。この場合、アナログモジュール１８側での選局動作は行わないこととなる。ディジタル側ＣＰＵ９は、ディジタル側メモリ８のポジション番号２の格納情報に基づいてディジタル放送の「ＢＢＣｔｗｏ」はＵＨＦ２３局に存在すること認識し、その選局動作を実行する。
【００３５】
【発明の効果】
以上説明したように、この発明によれば、ディジタル放送については予め定めた所定のポジションを優先的に割り当て、空いているポジションにアナログ放送を自動的に割り当てていくことができるという効果を奏する。
【図面の簡単な説明】
【図１】この発明の実施形態のディジタル・アナログ放送受信装置を示したブロック図である。
【図２】オートチューニング／オートソーティングの処理手順を示したフローチャートである。
【図３】放送局の存在形態を例示した説明図である。
【図４】ディジタル放送をその局名に基づいて予め指定のポジションに配置することを示した説明図である。
【図５】アナログ放送をその局名に基づいて予め指定のポジションに配置することを示した説明図である。
【図６】アナログ放送のみ受信した場合、ディジタル放送を全て受信した場合、及び一部のディジタル放送のみ受信した場合における、各々のポジション状態の一例を示した説明図である。
【図７】図６の一部のディジタル放送のみ受信した場合におけるアナログ側メモリ及びディジタル側メモリの情報格納内容を示した説明図である。
【符号の説明】
１    アンテナ
２    アナログチューナ
３    ディジタルチューナ
６    アナログ側ＣＰＵ
７    アナログ側メモリ
８    ディジタル側ＣＰＵ
９    ディジタル側メモリ
１８  アナログモジュール
１９  ディジタルモジュール
【図１】
0003609726.tif 000002
【図２】
0003609726.tif 000003
【図３】
0003609726.tif 000004
【図４】
0003609726.tif 000005
【図５】
0003609726.tif 000006
【図６】
0003609726.tif 000007
【図７】
0003609726.tif 000008